【手続補正書】
【提出日】平成16年11月19日(2004.11.19)
【手続補正１】
【補正対象書類名】明細書
【補正対象項目名】発明の名称
【補正方法】変更
【補正の内容】
【発明の名称】ディスク状記録媒体、ディスク状記録媒体製造方法及びディスク状記録媒体製造装置、並びにデータ記録方法及びデータ記録装置
【手続補正２】
【補正対象書類名】明細書
【補正対象項目名】特許請求の範囲
【補正方法】変更
【補正の内容】
【特許請求の範囲】
【請求項１】
信号記録面が径方向に複数のゾーンに分割され、各ゾーンにおいて隣接するトラックのウォブルの波数が１周毎に同数となるように螺旋状または同芯状にトラックが形成され、かつ各ゾーンが隣接する境界近傍に、記録再生が不可能なダミートラックを有することを特徴とするディスク状記録媒体。
【請求項２】
上記複数の各ゾーンにおいて、隣接するトラックのウォブルの位相を一致させることを特徴とする請求項１記載のディスク状記録媒体。
【請求項３】
上記ディスク状記録媒体の中心から各ゾーンの最外周までの距離の変化率が、隣接するゾーン間において３％以内であることを特徴とする請求項１記載のディスク状記録媒体。
【請求項４】
上記記録再生が不可能なダミートラックを上記各ゾーンが隣接する境界近傍に、少なくとも２周分配置することを特徴とする請求項１記載のディスク状記録媒体。
【請求項５】
データが任意のブロック単位で記録され、上記各ゾーンの最内周近傍の２ブロック単位及び最外周近傍の２ブロック単位を記録再生が不可能なダミートラックとして構成することを特徴とする請求項１記載のディスク状記録媒体。
【請求項６】
信号記録面が径方向に複数のゾーンに分割されたディスク状記録媒体を回転させる速度をゾーン毎に変化させ、上記各ゾーン内において隣接するトラックのウォブルの波数が１周毎に同数となるようウォブル周波数を制御することを特徴とするディスク状記録媒体製造方法。
【請求項７】
ゾーン毎に、Ｍ／Ｎ倍可能な位相同期回路から出力されるクロックの値をトラック１周あたりのウォブルの波数で除算した値が所定の値となり、かつトラック１周あたりのウォブルの波数とゾーン内におけるトラック周回数とを乗算し、当該乗算結果をデータが記録される単位である１レコーディングユニットあたりのウォブルの波数で除算した値が整数値となる条件を満足するようにウォブル周波数を制御することを特徴とする請求項６記載のディスク状記録媒体製造方法。
【請求項８】
信号記録面が径方向に複数のゾーンに分割されたディスク状記録媒体を回転させるディスク回転手段と、
上記ディスク回転手段を駆動する駆動手段と、
任意のクロックを生成する位相同期回路と、
上記ディスク状記録媒体のゾーン毎に上記ディスク状記録媒体を回転させる回転速度を変化させるように上記駆動手段を制御するとともに、上記各ゾーン内において、隣接するトラックのウォブルの波数が１周毎に同数となるように上記位相同期回路を制御する制御手段と
を備えるディスク状記録媒体製造装置。
【請求項９】
上記制御手段は、ゾーン毎に、Ｍ／Ｎ倍可能な位相同期回路より出力されるクロックの値をトラック１周あたりのウォブルの波数で除算した値が所定の値とし、かつトラック１周あたりのウォブルの波数とゾーンあたりのトラック周回数とを乗算した値をデータ記録単位あたりのウォブルの波数で除算した値が整数である条件を満足するように上記位相同期回路を制御することを特徴とする請求項８記載のディスク状記録媒体製造装置。
【請求項１０】
信号記録面が径方向に複数のゾーンに分割され、各ゾーンにおいて隣接するトラックのウォブルの波数が１周毎に同数となるように螺旋状または同芯状にトラックが形成されているディスク状記録媒体にデータを記録する際、上記各ゾーンが隣接する境界近傍においてはデータの記録を禁止することを特徴とするデータ記録方法。
【請求項１１】
上記ディスク状記録媒体にデータを記録する際、上記各ゾーンが隣接する境界近傍においては、少なくともトラック２周分だけ記録を禁止することを特徴とする請求項１０記載のデータ記録方法。
【請求項１２】
上記ディスク状記録媒体にデータを記録する際、上記各ゾーンの最内周近傍の２ブロック単位及び最外周近傍の２ブロック単位に対してデータの記録を禁止することを特徴とする請求項１０記載のデータ記録方法。
【請求項１３】
信号記録面が径方向に複数のゾーンに分割され、各ゾーンにおいて隣接するトラックのウォブルの波数が１周毎に同数となるように螺旋状または同芯状にトラックが形成されているディスク状記録媒体を回転させるディスク回転手段と、
上記ディスク回転手段を駆動する駆動手段と、
上記駆動手段により駆動される上記ディスク回転手段によって回転されているディスク状記録媒体にデータを記録する記録手段と、
上記各ゾーンが隣接する境界近傍においては上記記録手段によるデータの記録を禁止する制御手段と
を備えることを特徴とするデータ記録装置。
【手続補正３】
【補正対象書類名】明細書
【補正対象項目名】０００１
【補正方法】変更
【補正の内容】
【０００１】
【発明の属する技術分野】
本発明は、アドレス情報に対応してウォブリングされているトラックを備えるディスク状記録媒体、ディスク状記録媒体製造方法及びディスク状記録媒体製造装置、並びにデータ記録方法及びデータ記録装置に関する。
【手続補正４】
【補正対象書類名】明細書
【補正対象項目名】００１２
【補正方法】変更
【補正の内容】
【００１２】
本発明は、上記実情に鑑みてなされたものであり、上述した次世代ＭＤ２のようにトラックピッチが１．２５μｍというように、第１世代ＭＤのトラックピッチよりも狭く、さらにグルーブからＤＷＤＤによりマークを検出するタイプであっても、プッシュプル信号に低周波成分を乗せることのないディスク状記録媒体の提供を目的とする。
本発明の他の目的は、ディスク状記録媒体の製造方法及び製造装置を提供することにある。本発明のさらに他の目的は、ディスク状記録媒体へのデータ記録方法及びデータ記録装置を提供することにある。
【手続補正５】
【補正対象書類名】明細書
【補正対象項目名】００１３
【補正方法】変更
【補正の内容】
【００１３】
【課題を解決するための手段】
本発明に係るディスク状記録媒体は、上記課題を解決するために、信号記録面が径方向に複数のゾーンに分割され、各ゾーンにおいて隣接するトラックのウォブルの波数が１周毎に同数となるように螺旋状または同芯状にトラックが形成され、かつ各ゾーンが隣接する境界近傍に、記録再生が不可能なダミートラックを有する。
【手続補正６】
【補正対象書類名】明細書
【補正対象項目名】００１４
【補正方法】変更
【補正の内容】
【００１４】
本発明に係るディスク状記録媒体製造方法は、上記課題を解決するために、信号記録面が径方向に複数のゾーンに分割されたディスク状記録媒体を回転させる速度をゾーン毎に変化させ、上記各ゾーン内において隣接するトラックのウォブルの波数が１周毎に同数となるようウォブル周波数を制御する。
【手続補正７】
【補正対象書類名】明細書
【補正対象項目名】００１５
【補正方法】変更
【補正の内容】
【００１５】
本発明に係るディスク状記録媒体製造装置は、上記課題を解決するために、信号記録面が径方向に複数のゾーンに分割されたディスク状記録媒体を回転させるディスク回転手段と、上記ディスク回転手段を駆動する駆動手段と、任意のクロックを生成する位相同期回路と、上記ディスク状記録媒体のゾーン毎に上記ディスク状記録媒体を回転させる回転速度を変化させるように上記駆動手段を制御するとともに、上記各ゾーン内において、隣接するトラックのウォブルの波数が１周毎に同数となるように上記位相同期回路を制御する制御手段とを備える。
【手続補正８】
【補正対象書類名】明細書
【補正対象項目名】００１６
【補正方法】変更
【補正の内容】
【００１６】
本発明に係るデータ記録方法は、上記課題を解決するために、信号記録面が径方向に複数のゾーンに分割され、各ゾーンにおいて隣接するトラックのウォブルの波数が１周毎に同数となるように螺旋状または同芯状にトラックが形成されているディスク状記録媒体にデータを記録する際、上記各ゾーンが隣接する境界近傍においてはデータの記録を禁止する。
本発明に係るデータ記録装置は、上記課題を解決するために、信号記録面が径方向に複数のゾーンに分割され、各ゾーンにおいて隣接するトラックのウォブルの波数が１周毎に同数となるように螺旋状または同芯状にトラックが形成されているディスク状記録媒体を回転させるディスク回転手段と、上記ディスク回転手段を駆動する駆動手段と、上記駆動手段により駆動される上記ディスク回転手段によって回転されているディスク状記録媒体にデータを記録する記録手段と、上記各ゾーンが隣接する境界近傍においては上記記録手段によるデータの記録を禁止する制御手段とを備える。
【手続補正９】
【補正対象書類名】明細書
【補正対象項目名】００４１
【補正方法】変更
【補正の内容】
【００４１】
また、図８に示した構成の条件を満たすためには、各ゾーン毎に以下の条件を満たす必要がある。  
条件１．Ｍ／Ｎ×（１／（１トラックあたりのキャリア数））＝1/1050
１周毎にクロック同期が取れることと、Ｍ／Ｎ倍できるＰＬＬを持つことでクロックが作れる。これはフォーマッターとしてだけではなく、ドライブでＣＡＶ回転させ、クロックを切り替える方式を採用する場合にも簡単な構成で対応できる。右辺1/1050の部分にＢ／ＡのＰＬＬを入れることでさらに選択肢が拡がる。
【手続補正１０】
【補正対象書類名】明細書
【補正対象項目名】００４３
【補正方法】変更
【補正の内容】
【００４３】
図９及び図１０には、ゾーン内密度比一定方式によって形成されたゾーンレイアウト例の第１具体例を示す。また、図１１及び図１２には、第２具体例を示す。ゾーンＺ−１のキャリア数は4704としている。１周毎のキャリア数をちょうど１周で１クラスタに割り切れるようにしている。これは、固定のパターンがゾーンＺ−１に書いてあるということで外乱などによりディスクがスキューしてもこのゾーンＺ−１に戻ることでいつでも正確なキャリア数に修正することを可能とするためである。
【手続補正１１】
【補正対象書類名】明細書
【補正対象項目名】０１７６
【補正方法】変更
【補正の内容】
【０１７６】
以上の処理により、ＰＣ１００からの１ＦＡＴセクタの書込要求に応じた、ディスク９０へのＦＡＴセクタデータの書込が実現される。つまり、ＦＡＴセクタ単位の書込は、ディスク９０に対しては、次世代ＭＤクラスタ単位の書込として実行される。
本実施の形態にて説明した光ディスクは、ゾーン内にてＡＤＩＰのキャリアの波数を同じにすることにより、平均的にインフェーズとアウトウェーズを合わせることができ、ＷＰＰ信号に低域ノイズ成分が乗ってしまうのを防ぐことができる。また、この光ディスクを記録／再生装置にて用いることにより、同じゾーン内では、ＣＡＶ再生になるが、記録／再生にあっては、スピンドルモータを従来通りに制御してＣＬＶによりディスクを回転駆動するのと同じように使うことができる。
【手続補正１２】
【補正対象書類名】明細書
【補正対象項目名】０１７７
【補正方法】変更
【補正の内容】
【０１７７】
【発明の効果】
本発明に係るディスク状記録媒体によれば、次世代ＭＤ２のようにトラックピッチが１．２５μｍというように、第１世代ＭＤのトラックピッチよりも狭く、さらにグルーブからＤＷＤＤによりマークを検出するタイプであっても、プッシュプル信号に低周波成分を乗るのを防ぐことができる。
本発明に係るディスク状記録媒体製造方法及び製造装置によれば、次世代ＭＤ２のようにトラックピッチが１．２５μｍというように、第１世代ＭＤのトラックピッチよりも狭く、さらにグルーブからＤＷＤＤによりマークを検出するタイプのディスク状記録媒体を製造するときに、プッシュプル信号に低周波成分を乗るのを防ぐことができる。
本発明に係るデータ記録方法及びデータ記録装置によれば、次世代ＭＤ２のようにトラックピッチが１．２５μｍというように、第１世代ＭＤのトラックピッチよりも狭く、さらにグルーブからＤＷＤＤによりマークを検出するタイプのディスク状記録媒体にデータを記録するとき、プッシュプル信号に低周波成分を乗るのを防ぐことができる。
【手続補正１３】
【補正対象書類名】図面
【補正対象項目名】図９
【補正方法】変更
【補正の内容】
【図９】
2003296942.tif 000001